(57)【要約】【課題】カメラを載せたフレームを移動して被写体を異なる角度から撮影する簡便な立体写真撮影用冶具を提供する。【解決手段】カメラを載せたフレームを移動して被写体を異なる角度から撮影する立体写真撮影用冶具であって、ベース上に固定した曲線状の軌道レールと、前記カメラを載せて前記軌道レール上を移動する移動フレームと、前記移動フレームの移動方向を前記軌道レールに沿うように案内するガイドローラーと、前記移動フレームを前記ベース上で走行させるボールキャスターとを有することを特徴とする立体写真撮影用冶具。【選択図】図１
0003107423.tif 000002
【実用新案登録請求の範囲】
【請求項１】
カメラを載せたフレームを移動して被写体を異なる角度から撮影する立体写真撮影用冶具であって、
ベース上に固定した曲線状の軌道レールと、
前記カメラを載せて前記軌道レール上を移動する移動フレームと、
前記移動フレームの移動方向を前記軌道レールに沿うように案内するガイドローラーと、
前記移動フレームを前記ベース上で走行させるボールキャスターとを有することを特徴とする立体写真撮影用冶具。
【請求項２】
前記曲線状の軌道レールの軌道が半径１〜５ｍの円形であり、かつ、該軌道レールの断面形状が直径１０〜５０ｍｍの円形であることを特徴とする請求項１に記載の立体写真撮影用冶具。
【請求項３】
前記ガイドローラーが、前記軌道レールの斜め上面および側面に複数セット設けられていることを特徴とする請求項１または請求項２に記載の立体写真撮影用冶具。
【考案の詳細な説明】
【技術分野】
【０００１】
本考案は、カメラを載せたフレームを移動して被写体を異なる角度から撮影する立体写真撮影用冶具に関する。
【背景技術】
【０００２】
従来から、レンチキュラーレンズを使用することによって、平面写真を立体的に見せる立体写真の作成方法が知られており、この立体写真を作るためには、被写体を別々の方向から見た写真を撮影する必要がある。
立体写真の撮影装置に関しては、従来から種々の提案がなされており、例えば、特開平１０−３９４３４号公報には、被写体に対する角度を変更し得るようにカメラを取り付けた部材を水平および前後に移動させることによって、被写体を中心とした同一円周上の複数位置から精度よく撮影する方法が開示されている。
しかし、特開平１０−３９４３４号公報に記載された方法は、カメラの角度および水平方向の位置を制御するために、大掛かりな装置が必要になるうえ、制御が複雑になるという問題点があった。
【特許文献１】特開平１０−３９４３４号公報
【考案の開示】
【考案が解決しようとする課題】
【０００３】
本考案は、前述のような従来技術の問題点を解決し、カメラを載せたフレームを移動して被写体を異なる角度から撮影する簡便な立体写真撮影用冶具を提供することを課題とする。
【課題を解決するための手段】
【０００４】
本考案は、前述の課題を解決するために、カメラを載せたフレームを曲線状の軌道レール上を移動させることによって、被写体を異なる角度から撮影する簡便な立体写真撮影用冶具を提供するものであり、その要旨とするところは実用新案登録請求の範囲に記載した通りの下記内容である。
（１）カメラを載せたフレームを移動して被写体を異なる角度から撮影する立体写真撮影用冶具であって、
ベース上に固定した曲線状の軌道レールと、
前記カメラを載せて前記軌道レール上を移動する移動フレームと、
前記移動フレームの移動方向を前記軌道レールに沿うように案内するガイドローラーと、
前記移動フレームを前記ベース上で走行させるボールキャスターとを有することを特徴とする立体写真撮影用冶具。
（２）前記曲線状の軌道レールの軌道が半径１〜５ｍの円形であり、かつ、該軌道レールの断面形状が直径１０〜５０ｍｍの円形であることを特徴とする（１）に記載の立体写真撮影用冶具。
（３）前記ガイドローラーが、前記軌道レールの斜め上面および側面に複数セット設けられていることを特徴とする（１）または（２）に記載の立体写真撮影用冶具。
【考案の効果】
【０００５】
本考案によれば、カメラを載せたフレームを曲線状の軌道レール上を移動させることによって、被写体を異なる角度から撮影する簡便な立体写真撮影用冶具を提供することができるなど、産業上有用な著しい効果を奏する。
【考案を実施するための最良の形態】
【０００６】
本考案を実施するための最良の形態について、図１乃至図３を用いて詳細に説明する。
図１は、本考案の立体写真撮影用冶具の実施形態を例示する全体平面図である。
図１において、１は被写体、２はベース、３は軌道レール、４は固定部材、５は移動フレーム、６は目盛りを示す。
本考案は、カメラを載せたフレームを移動して被写体を異なる角度から撮影する立体写真撮影用冶具であって、ベース２上に、例えば、ボルトなどの固定部材４で固定した曲線状の軌道レール３と、前記カメラを載せて前記軌道レール３上を移動する移動フレーム５と、前記移動フレーム５の移動方向を前記軌道レール３に沿うように案内するガイドローラーと、前記移動フレームを前記ベース上で走行させるボールキャスターとを有することを特徴とする。
【０００７】
本考案によれば、カメラを載せた移動フレーム５を、曲線状の軌道レール３の上を移動させながら撮影することによって、図１の矢印で示すように、被写体１を異なる方向から順次撮影することができる。
本考案においては、曲線状の軌道レール５のサイズは問わないが、通常の被写体１の大きさを勘案すると、軌道レール５は、半径１〜５ｍの円形とすることが好ましい。
また、軌道レール５の加工性と材料入手の容易性を勘案すると、断面形状は直径１０〜５０ｍｍの円形とすることが好ましい。
また、本考案においては、移動フレーム５の駆動方法は問わず、撮影者が自分で移動させてもよいが、モータ駆動によって自動的に移動させながら撮影することもできる。
なお、図１に示すように、軌道レールの横に、目盛り６を配置することによって、一定間隔の撮影を行うことができるうえ、撮影位置を正確に記録することができる。
【０００８】
図２および図３は、本考案に用いる移動フレームの実施形態を例示する図であり、図２は平面図を示し、図３は側面図を示す。
図２および図３において、２はベース、３は軌道レール、５は移動フレーム、７はボールキャスター、８は側面ガイドローラー、９は上面ガイドローラー、１０は引き棒、１１はカメラ台座、１２は指針を示す。
図２および図３に示すように、本実施形態においては、移動フレーム５は、２個の側面ガイドローラー８および２個の上面ガイドローラーによって、軌道レール３に沿って案内される構造となっている。
【０００９】
このように、側面および上面から複数セットのガイドローラーによって案内することによって、移動フレーム５が振動することなく、円滑に軌道レール上を移動することができる。
また、移動フレーム５の下端には、ボールキャスター７が設けられており、これによって、移動フレーム５がベース２上を円滑に移動することができる。
さらに、移動フレーム５の側面には、引き棒１０が設けられており、この引き棒１０を操作することによって、移動フレーム５を簡単に動かすことができるうえ、引き棒１０に設けられた指針１２が前述の目盛りを指し示すことによって、移動フレームを正確な位置に設定することができるうえ、撮影した正確を記録することができる。
【図面の簡単な説明】
【００１０】
【図１】本考案の立体写真撮影用冶具の実施形態を例示する全体平面図である。
【図２】本考案に用いる移動フレームの実施形態を例示する平面図である。
【図３】本考案に用いる移動フレームの実施形態を例示する側面図である。
【符号の説明】
【００１１】
１  被写体
２  ベース
３  軌道レール
４  固定部材
５  移動フレーム
６  目盛り
７  ボールキャスター
８  側面ガイドローラー
９  上面ガイドローラー
１０  引き棒
１１  カメラ台座
１２  指針
【図１】
0003107423.tif 000003
【図２】
0003107423.tif 000004
【図３】
0003107423.tif 000005